(57)【特許請求の範囲】
【請求項１】
出力制御用データとともに伝送されてきたデータを受信する受信手段と、
前記受信手段により受信された前記データおよび出力制御用データを記録する記録媒体と、
前記記録媒体に記録された前記データを、表示可能なデータを表示するときの表示条件または音声として出力可能なデータを出力するときの出力条件からなる出力条件に基づいて、表示または音声として出力する出力手段と
を備え、
前記出力制御用データは、前記データの出力モードを表す情報を含み、
前記出力モードが第１のモードである場合、前記出力手段は、ユーザにより前記データが表示または音声として出力すべきデータとして選択されたとき、前記データをユーザにより選択された出力条件に基づいて表示または音声として出力し、
前記出力モードが第２のモードである場合、前記出力手段は、ユーザにより前記データが表示または音声として出力すべきデータとして選択されたか否かにかかわらず、前記データをユーザにより選択された出力条件に基づいて、強制的に表示または音声として出力し、
前記出力モードが第３のモードである場合、前記出力手段は、ユーザにより前記データが表示または音声として出力すべきデータとして選択されたとき、前記データを、前記出力制御データに含まれる出力条件であって、前記データの提供者により予め決められている出力条件に基づいて表示または音声として出力し、
前記出力モードが第４のモードである場合、前記出力手段は、ユーザにより前記データが表示または音声として出力すべきデータとして選択されたか否かにかかわらず、前記データを、前記出力制御データに含まれる出力条件であって、前記データの提供者により予め決められている出力条件に基づいて、強制的に表示または音声として出力する
ことを特徴とするデータ出力装置。
【請求項２】
前記出力制御データは、前記データを、表示または音声として出力するときの順序を指定する出力順序をさらに含み、
前記出力手段は、前記データを、前記出力順序にしたがって、表示または音声として出力する
ことを特徴とする請求項１に記載のデータ出力装置。
【請求項３】
前記出力条件は、表示可能な前記データを表示するときの画面の大きさ、フォントのサイズ、フォントの種類、もしくはバックグランドの明度、または音声出力可能な前記データを出力するときの音量である
ことを特徴とする請求項１に記載のデータ出力装置。
【請求項４】
前記出力制御用データは、前記データが強制的に表示または音声として出力されるべき種別の緊急情報であるか否かを示す種別フラグをさらに含み、
前記種別フラグが、前記受信手段により受信された前記データが強制的に表示または音声として出力されるべき種別の緊急情報であることを示している場合、装置の電源のＯＮ／ＯＦＦ状態を判定し、前記電源がＯＦＦ状態であるとき、前記電源をＯＮにする
ことを特徴とする請求項１乃至３のいずれかに記載のデータ出力装置。
【発明の詳細な説明】
【０００１】
【産業上の利用分野】
本発明は、例えば電子的に配信された新聞や、雑誌、書籍などの刊行物のデータなどを出力（表示、あるいは音声として出力）するデータ出力装置に関する。
【０００２】
【従来の技術】
従来の、例えば新聞データ（新聞情報）などを電子的に配信するシステム（新聞配信システム）としては、例えばいわゆるパソコン通信を利用したものなどがある。このようなシステムを利用する場合、例えばユーザは、パソコンネットワークに加入する。そして、端末（パソコン）を操作し、新聞データが蓄えられているデータベースにアクセスし、そこから新聞データをダウンロードして、モニタに表示させることにより、新聞を見る（読む）ことができる。
【０００３】
【発明が解決しようとする課題】
ところで、例えば、テレビジョン放送においては、視聴者に最優先で知らせる必要がある、例えば地震や台風などに関する緊急情報は、番組の途中であっても、注意音とともに、字幕などで即座に放送されるようになされている。
【０００４】
従って、上述のような新聞配信システムにおいても、例えば地震や台風などによる災害が発生する恐れのある場合は、新聞を見ている最中であっても、その旨を緊急情報としてユーザに即座に知らせられることが望ましい。
【０００５】
しかしながら、従来の新聞配信システムでは、緊急情報を、即座にユーザに知らせることができるようにはなされていなかった。
【０００６】
本発明は、このような状況に鑑みてなされたものであり、緊急情報を、強制的に出力することにより、その緊急情報を視聴者に即座に知らせることができるようにするものである。
【０００７】
【課題を解決するための手段】
本発明のデータ出力装置は、出力制御用データとともに伝送されてきたデータを受信する受信手段（例えば、図２に示すデータ受信装置２０１など）と、受信手段により受信されたデータおよび出力制御用データを記録する記録媒体（例えば、図２に示すデータ記録媒体７など）と、記録媒体に記録されたデータを、表示可能なデータを表示するときの表示条件または音声として出力可能なデータを出力するときの出力条件からなる出力条件に基づいて、表示または音声として出力する出力手段（例えば、図１に示す音声出力装置２０３や、図２に示す表示部１４など）とを備え、出力制御用データは、データの出力モードを表す情報を含み、出力モードが第１のモードである場合、出力手段は、ユーザによりデータが表示または音声として出力すべきデータとして選択されたとき、データをユーザにより選択された出力条件に基づいて表示または音声として出力し、出力モードが第２のモードである場合、出力手段は、ユーザによりデータが表示または音声として出力すべきデータとして選択されたか否かにかかわらず、データをユーザにより選択された出力条件に基づいて、強制的に表示または音声として出力し、出力モードが第３のモードである場合、出力手段は、ユーザによりデータが表示または音声として出力すべきデータとして選択されたとき、データを、出力制御データに含まれる出力条件であって、データの提供者により予め決められている出力条件に基づいて表示または音声として出力し、出力モードが第４のモードである場合、出力手段は、ユーザによりデータが表示または音声として出力すべきデータとして選択されたか否かにかかわらず、データを、出力制御データに含まれる出力条件であって、データの提供者により予め決められている出力条件に基づいて、強制的に表示または音声として出力することを特徴とする。
【０００９】
出力制御データが、データを出力するときの順序を指定する出力順序をさらに含む場合、出力手段に、データを、出力順序にしたがって出力させることができる。また、出力制御データが、データを出力するときの条件を指定する出力条件をさらに含む場合、出力手段に、データを、出力条件にしたがって出力させることができる。
【００１０】
出力条件は、表示可能なデータを表示するときの画面の大きさ、フォントのサイズ、フォントの種類、もしくはバックグランドの明度、または音声出力可能なデータを出力するときの音量とすることができる。また、出力制御用データは、データが強制的に表示または音声として出力されるべき種別の緊急情報であるか否かを示す種別フラグをさらに含み、種別フラグが、受信手段により受信されたデータが強制的に表示または音声として出力されるべき種別の緊急情報であることを示している場合、装置の電源のＯＮ／ＯＦＦ状態を判定させ、電源がＯＦＦ状態であるとき、電源をＯＮにさせることができる。
【００１１】
【作用】
上記構成のデータ出力装置においては、出力制御用データとともに伝送されてきたデータが受信されて、データ記録媒体７に記録され、音声出力装置２０３から出力され、あるいは表示部１４で表示される。出力制御用データは、データの出力モードを表す情報を含み、出力モードが第１のモードである場合、ユーザによりデータが表示または音声として出力すべきデータとして選択されたとき、データがユーザにより選択された出力条件に基づいて表示または音声として出力され、出力モードが第２のモードである場合、ユーザによりデータが表示または音声として出力すべきデータとして選択されたか否かにかかわらず、データがユーザにより選択された出力条件に基づいて、強制的に表示または音声として出力され、出力モードが第３のモードである場合、ユーザによりデータが表示または音声として出力すべきデータとして選択されたとき、データが、出力制御データに含まれる出力条件であって、データの提供者により予め決められている出力条件に基づいて表示または音声として出力され、出力モードが第４のモードである場合、ユーザによりデータが表示または音声として出力すべきデータとして選択されたか否かにかかわらず、データが、出力制御データに含まれる出力条件であって、データの提供者により予め決められている出力条件に基づいて、強制的に表示または音声として出力される。
【００１３】
【実施例】
図１は、本発明の一実施例であるユーザ端末１０５により、伝送されてきたデータを受信するデータ放送システムの構成例を示している。このデータ放送システムによれば、例えば新聞や、書籍、雑誌などの刊行物のデータを中心とするマルチメディアデータやその他のデータが放送され、受信側では、これを受信して記録媒体（例えば、データ記録媒体７など）に記録し、所望するときにそこからデータを読み出して視聴することができるようになされている。
【００１４】
情報提供者１０１としての、例えば新聞社Ａ，Ｂには、紙面データベースが蓄えられている。この紙面データベースには、新聞に印刷するための記事や写真、図面の情報、さらにはレイアウト情報などを含んでいる。このデータベースのデータ（テキストデータあるいはイメージデータ）は、すべてディジタル化されており、必要に応じてサービス運用会社（あるいはデータ加工会社）１０２に伝送され、そこにおいて編集（加工）される。
【００１５】
即ち、データベースのデータは、例えば各紙面ごとに、受信側（ユーザ端末１０５）において検索し易いフォーマットに編集される。例えば、この編集により、レイアウトはそのままで、見出しだけが見える形で紙面がそのまま縮小された検索のための画面（検索紙面）が作成される。さらに、この見出しから、それに対応する記事（記事紙面）を表示することができるように、検索の画面（見出し）と、その詳細を記述した記事データとの関係付けが行われる。
【００１６】
さらに、情報提供者１０１としてのテレビ局からサービス運用会社１０２には、例えば付加的な動画像データ（例えば、新聞記事に対応する、ニュース番組の画像、音声、あるいはスポーツ番組のハイライトシーンの画像、音声など）などが、必要に応じて伝送される。サービス運用会社１０２では、これらの情報（これも、例えば上述したデータベースのデータと同様にディジタル化されている）も、受信側（ユーザ端末１０５）において検索し易いフォーマットに編集される（この場合、上述したように、情報を画面表示するときのレイアウトの編集の他、その情報と、その情報に対応する新聞記事との関係付けなども行われる）。
【００１７】
また、情報提供者１０１（図１においては、新聞社Ａ，Ｂ、テレビ局）からは、上述したデータの他、制御データ（詳細は、後述する）も必要に応じて、サービス運用会社１０２に伝送され、そこで加工される。
【００１８】
以上のような、受信側で検索し易い形態に編集したデータであって、テキストデータ、画像データ、および音声データを組み合わせた、新聞データを核とするマルチメディア新聞データは、制御データを加えて、サービス運用会社１０２から、無線回線を構成する、例えば衛星（放送衛星または通信衛星）１０３、あるいは有線回線である、例えば公衆回線網（例えば、ＩＳＤＮやＰＳＴＮなど）１０４やその他ＣＡＴＶ網などを介して、受信側（ユーザ端末１０５）に伝送される。
【００１９】
なお、データが、衛星１０３を経由して伝送される場合、そのデータは、例えば衛星のディジタルデータチャンネルに挿入されて伝送される。
【００２０】
受信側であるユーザ端末１０５においては、サービス運用会社１０２から伝送されてきた信号が、室外装置（パラボラアンテナ）１により受信され、所定の中間周波信号（ＩＦ信号）に変換される。このＩＦ信号は、データ受信装置２０１に入力される。データ受信装置２０１は、入力されたＩＦ信号に対し、復調処理などの所定の受信処理を施し、例えば光磁気ディスク（ＭＯ）などでなるデータ記録媒体７に記録する。なお、データ記録媒体７は、データ受信装置２０１のスロット７ａに対し、着脱可能になされている。
【００２１】
データ記録媒体７にデータを記録した後、ユーザは、データ記録媒体７をデータ受信装置２０１に装着したまま、そこからデータを読み出して、必要に応じて表示装置２０２に、そのデータに対応する画像を表示させたり、あるいは音声出力装置（例えば、スピーカなどでなる）２０３から、そのデータに対応する音声を出力させることができる。また、ユーザは、データ記録媒体７を、例えばポータブル端末や、デスクトップ型の端末などに装着し、そこからデータを読み出して、上述のように画像や音声を出力させることができる。
【００２２】
図２は、ユーザ端末１０５（データ受信装置２０１および表示装置２０２）の詳細構成例を示している。例えば、データが、衛星１０３（図１）を介して伝送されてきた場合、そのデータは、室外装置（例えば、パラボラアンテナなど）１で受信され、ＩＦ信号に変換されて、データ受信部３に供給される。また、例えば、データが、公衆回線網１０４を介して伝送されてきた場合、そのデータは、データ受信部３で受信される。データ受信部３は、入力されたデータに、所定の受信処理（例えば、復調処理など）を施し、その結果得られたデータを、データ種別判別部２（詳細は、後述する）を介して、例えば光磁気ディスクなどでなるデータ記録媒体７に供給して記録させる。
【００２３】
なお、データをデータ記録媒体７に記録させず、データ受信部３から、後段のブロックに直接供給するようにし、これにより、受信したデータを、音声出力装置２０３（図１）や表示部１４から即座に出力させるようにすることも可能である。
【００２４】
また、ユーザは、データを受信するためには、情報提供者１０１（あるいはサービス運用会社１０２）と受信契約を結ぶ必要がある。サービス運用会社１０２から伝送されてくるデータは、受信契約を結んだユーザの有するユーザ端末でのみ受信可能になされている。
【００２５】
データ記録媒体７にデータが記録された後は、入力ペン（電子ペン）３ａやマウス３ｂなどを操作することにより、そのデータを読み出して視聴することができる。即ち、入力ペン３ａ（マウス３ｂについても同様）が操作されると、指示操作入力部１１は、その操作（イベント）に対応した入力イベント情報を生成し、表示／再生管理部９またはユーザ情報／表示条件管理部１０に出力する。
【００２６】
表示／再生管理部９は、指示操作入力部１１から所定のイベント情報を受信すると（あるいは、後述するように、ユーザ情報／表示条件管理部１０から表示命令を受信した場合も同様）、データ記録媒体７からデータを読み出す。
【００２７】
データ記録媒体７は、マルチメディア新聞データおよびそれに付随する制御データを記録することのできる容量を有し、そこに記録されたデータのうち、マルチメディア新聞データは、表示／再生管理部９の要求にしたがって読み出される。即ち、表示／再生管理部９は、データ復元部４を介してデータ読み出し部５を制御し、データ記録媒体７から、入力イベント情報（あるいは表示命令）に対応したマルチメディア新聞データを読み出させる。データ記録媒体７から読み出されたマルチメディア新聞データは、データ読み出し部５を介して、データ復元部４に供給され、そこで復元され、さらに後段のブロックで扱い易いフォーマットに変換される。フォーマットの変換されたマルチメディア新聞データは、データ復元部４から表示／再生管理部９に供給される。
【００２８】
以上のようにして、表示／再生管理部９は、データ記録媒体７に記録されたマルチメディア新聞データを読み出す。なお、表示／再生管理部９は、データ記録媒体７に記録されたマルチメディア新聞データを、例えば新聞記事のジャンル単位や、ページ単位、あるいは見出し単位などの所定の単位で読み出すようになされている。
【００２９】
表示／再生管理部９では、データ記録媒体７から読み出されたマルチメディア新聞データが、音声再生部１２、動画再生部１３、または表示部１４に供給される。即ち、マルチメディア新聞データが、音声データである場合には音声再生部１２に、動画像データである場合には動画再生部１３に、テキストデータまたはイメージデータ（例えば、写真などの静止画のデータなど）である場合には表示部１４に、それぞれ出力する。
【００３０】
動画再生部１３は、表示／再生管理部９から動画像データが供給されると、その動画像データ（これは、画像データと、その画像データに付随する音声データでなる）から、画像データと音声データとを分離する。そして、画像データは表示部１４に、音声データは音声再生部１２にそれぞれ出力する。
【００３１】
音声再生部１２は、表示／再生管理部９または動画再生部１３から供給される音声データをＤ／Ａ変換して、音声出力装置２０３に供給して出力させる。表示部１４は、表示／再生管理部９から供給されるテキストデータやイメージデータ、または動画像再生部１３から供給される画像データを表示する。
【００３２】
以上のようにして、データ記録媒体７から読み出されたマルチメディア新聞データは、所定の単位で、画像（テキスト、イメージ、動画像）として表示され、あるいは音声として出力される。
【００３３】
例えばいま、ジャンル単位で新聞記事の表示が行われるとした場合、あるジャンルの新聞記事が表示された後は、入力ペン３ａあるいはマウス３ｂを操作することにより、その新聞記事の画面を拡大させたり、あるいはその前後の新聞記事を表示させたりすることができる。即ち、入力ペン３ａあるいはマウス３ｂを操作すると、その操作に対応する入力イベント情報が、指示操作入力部１１から表示／再生管理部９に供給され、表示／再生管理部９は、その入力イベント情報にしたがって、いま表示部１４で表示されている新聞記事の画面を拡大させたり、あるいはその前後の新聞記事を、データ読み出し部５およびデータ復元部４を介してデータ記録媒体７から読み出し、表示部１４に表示させたりする。
【００３４】
また、マルチメディア新聞データは、例えば次のようにして表示（出力）することができるようにもなされている。
【００３５】
即ち、入力ペン３ａやマウス３ｂが操作され、これにより指示操作入力部１１でその操作に対応するイベント情報が発生されて、ユーザ情報／表示条件管理部１０に出力される。ユーザ情報／表示条件管理部１０は、指示操作入力部１１から所定のイベント情報を受信すると（後述するように、表示／再生管理部９から表示命令要求を受信した場合も同様）、個人表示条件読み出し部８を制御し、データ記録媒体７に記録されたデータのうちの制御データを読み出させる。データ記録媒体７から読み出された制御データは、個人表示条件読み出し部８からユーザ情報／表示条件管理部１０に供給される。
【００３６】
ユーザ情報／表示条件管理部１０は、制御データに対応した表示命令（コマンド）を、表示／再生管理部９に出力し、これによりデータ記録媒体７から、データ読み出し部５およびデータ復元部４を介して、所定のマルチメディア新聞データを読み出させる。さらに、ユーザ情報／表示条件管理部１０は、表示／再生管理部９を制御し、データ記録媒体７から読み出させたマルチメディア新聞データを、音声再生部１２、動画再生部１３、または表示部１４に供給させるとともに、制御データに対応した表示条件を、動画再生部１３または表示部１４に供給させる。
【００３７】
即ち、マルチメディア新聞データが音声データであった場合、その音声データは、音声再生部１２に供給され、音声として出力される。また、マルチメディア新聞データが動画像データであった場合、その動画像データは、動画像再生部１３に供給され、そこで画像データと音声データとに分離される。音声データは、音声再生部１２に供給され、音声として出力される。また、画像データは、表示部１４に供給される。なお、このとき、画像データは、上述したように制御データに対応した表示条件とともに表示部１４に供給される。表示部１４では、制御データに対応した表示条件にしたがって、画像データが表示される。
【００３８】
また、マルチメディア新聞データがテキストデータまたは静止画データであった場合、そのテキストデータまたは静止画データは、表示部１４に供給される。なお、このとき、テキストデータまたは静止画データは、上述したように制御データに対応した表示条件とともに表示部１４に供給される。表示部１４では、制御データに対応した表示条件にしたがって、テキストデータまたは静止画データが表示される。
【００３９】
ユーザ情報／表示条件管理部１０は、上述のように、表示／再生管理部９を介して、動画再生部１３または表示部１４に対し、制御データに対応した表示条件を供給することにより、動画再生部１３または表示部１４をそれぞれ制御するようになされている。
【００４０】
ここで、制御データによれば、マルチメディア新聞データを、例えば新聞記事のジャンル単位で表示するときの順序（表示順序）および条件（表示条件）を制御する（決める）ことができるようになされており、そのフォーマットは、例えば図３に示すようになされている。
【００４１】
即ち、制御データ（表示用制御データ）は、ヘッダ部とそれに続くデータ部とで構成されており、ヘッダ部には、例えば新聞の日付、データ種別、新聞が朝刊か夕刊かを示す情報（朝／夕）、ユーザが受信契約を結んでいる新聞記事のジャンル数などが配置されている。なお、データ種別については後述する。
【００４２】
ヘッダ部に続くデータ部には、ジャンル番号、表示条件、および強制フラグが繰り返し配置されている。
【００４３】
ジャンル番号は、マルチメディア新聞データ（以下、適宜、単に新聞データという）に、新聞記事のジャンル単位であらかじめ付されているユニークな番号であり（なお、図１のデータ放送システムによれば、新聞データ以外のデータも放送されるが、そのデータにも所定の単位で、ジャンル番号に相当するユニークな番号（この番号もジャンル番号という）が付されている）、図１で説明した情報提供者１０１では、新聞データに共通のジャンル番号が付されるようになされている。即ち、新聞社ＡおよびＢでは、例えば総合欄（面）には１、政治欄（面）には２、国際欄（面）には３、・・・というように、共通のジャンル番号が、新聞データに付されるようになされている。表示条件は、新聞データを表示するときの条件で、ここでは、例えば画面のサイズ（画面サイズ）、フォントのサイズ（フォントサイズ）、フォントの種類（フォント種類）、バックグランドの明度（バックの明度）で構成されている。強制フラグについては後述する。
【００４４】
データ部には、上述したジャンル番号、表示条件、および強制フラグの組が、そのジャンル番号に対応するジャンルの新聞データを表示するときの表示順序にしたがって配置されている。この制御データにおける表示順序および表示条件は、例えば図１の情報提供者１０１としての新聞社、あるいはサービス運用会社１０２において設定される。
【００４５】
以上のような制御データにしたがって、新聞データの表示が行われる場合、まずデータ部の最初に配置されているジャンル番号１に対応するジャンルの新聞データが、それと組になっている表示条件に記述されている画面サイズ、フォントサイズ、フォント種類、バックの明度で表示される。そして、次の新聞データを表示するように、入力ペン３ａあるいはマウス３ｂが操作されると、データ部の２番目に配置されているジャンル番号２に対応するジャンルの新聞データが、それと組になっている表示条件に記述されている画面サイズ、フォントサイズ、フォント種類、バックの明度で表示される。以下、同様にして、制御データにしたがった表示順序および表示条件で、新聞データの表示が行われる。
【００４６】
次に、図２のユーザ端末１０５では、以上のような表示順序または表示条件をユーザことにカスタマイズした個人カスタマイズデータとすることができるようになされている。即ち、入力ペン３ａあるいはマウス３ｂを操作して、ユーザの嗜好にあった表示順序、表示条件を指定し、これを個人カスタマイズデータとして、指示操作入力部１１、ユーザ情報／表示条件管理部１０、および個人表示条件書き込み部６（この個人表示条件書き込み部６は、ユーザ情報／表示条件管理部１０に制御され、入力されたデータをデータ記録媒体７に記録するようになされている）を介して、データ記録媒体７に記録（登録）しておき、制御データに代えて、個人カスタマイズデータにしたがって、上述したように新聞データの表示を行うことができるようになされている。
【００４７】
なお、データ記録媒体７には、複数ユーザの個人カスタマイズデータをテーブル化して記録（登録）しておくことができるようになされている。データ記録媒体７に、複数の個人カスタマイズデータ、即ち複数パターンの表示順序および表示条件が登録されている場合、いずれの個人カスタマイズデータにしたがって新聞データの表示を行うかは、入力ペン３ａあるいはマウス３ｂを操作することにより選択することができるようになされている。また、データ記録媒体７に記録した個人化カスタマイズデータは、入力ペン３ａあるいはマウス３ｂを操作することにより変更あるいは消去することができるようになされている。
【００４８】
図４は、個人カスタマイズデータのフォーマットを示している。個人カスタマイズデータは、図３で説明した制御データと同様に、ヘッダ部とデータ部とから構成される。ヘッダ部には、個人カスタマイズデータをデータ記録媒体７に登録（記録）した日付（登録日付）と、データ部に配置されるジャンル番号の数が順次配置されて構成されている。データ部は、ジャンル番号と、それに対応するジャンルの新聞データ表示するときの表示条件との組が、新聞データを表示するときの表示順序にしたがって配置されて構成されている。
【００４９】
ユーザは、自身の嗜好にあった表示順序、表示条件を指定し、これを個人カスタマイズデータとして登録しておくことができる。従って、この個人カスタマイズデータにしたがって、新聞データの表示を行う場合、ユーザが、表示順序や表示条件をいちいち指定しなくても、そのユーザの嗜好にあった表示順序、表示条件で、新聞データの表示がなされることになる。
【００５０】
即ち、個人カスタマイズデータによれば、例えば表示条件の中のフォントサイズに注目した場合、例えば総合面の新聞データは、制御データによる場合と同様のフォントサイズで表示し、また政治面の新聞データは、制御データによる場合より大きいサイズで表示するようにすることができる。さらに、例えば経済面の新聞データは、制御データによる場合より小さなサイズで表示するようにすることができる。
【００５１】
表示条件は、所定の表示単位としての、例えばジャンルごとに指定可能であり、表示条件のうちの、例えばフォントサイズをジャンルごとに指定して登録しておいた場合には、上述のように、ジャンルごとに、フォントサイズを変えて、新聞記事の表示が行われる。
【００５２】
制御データには、ユーザが契約した新聞データのすべてのジャンルの表示順序および表示条件を規定しておく必要があるが、個人カスタマイズデータについては、その必要はない。即ち、例えば１５のジャンルの新聞データがサービス運用会社１０２（図１）から伝送されてくる場合、その新聞データとともに伝送される制御データには、図３に示したように、１５のジャンルの新聞データの表示順序（図３においては、ジャンル番号の昇順となっている）および表示条件すべてを規定しておく必要がある。
【００５３】
しかしながら、ユーザが指定して登録する個人カスタマイズデータには、そのユーザが所望するジャンルのジャンル番号のみを、同じくそのユーザが所望する表示順序に対応する順番で登録すれば良く、１５のジャンルすべてに関して表示順序を登録する必要はない。個人カスタマイズデータに登録されていないジャンル番号に対応するジャンルの新聞データは、その個人カスタマイズデータを使用する場合には出力されないので、ユーザが興味のないジャンルの新聞データが表示されることを防止することができる。
【００５４】
また、表示条件も、ジャンル番号を登録したジャンルの新聞データを表示するときの、そのユーザが所望する表示条件のみを登録するようにすれば良く、制御データによる場合のように、画面サイズ、フォントサイズ、フォント種類、およびバックの明度のすべてを登録する必要はない（なお、登録されていない表示条件については、例えば前回の表示時の表示条件や、制御データに登録されている表示条件などが用いられる）。
【００５５】
新聞データの表示にあたって、制御データおよび個人カスタマイズデータのうちのいずれを用いるかは、入力ペン３ａあるいはマウス３ｂを操作し、指示操作入力部１１からユーザ情報／表示条件管理部１０に、所定のイベント情報を入力することにより決定されるようになされている。
【００５６】
即ち、制御データを用いるように、入力ペン３ａあるいはマウス３ｂが操作された場合には、ユーザ情報／表示条件管理部１０は、データ記録媒体７から個人表示条件読み出し部８を介して、制御データを読み出し、上述したように、その制御データにしたがった表示命令（データ記録媒体７から読み出す新聞データのジャンルを指示する命令）を表示／再生管理部９に出力し、またその制御データにしたがった表示条件を、表示／再生管理部９を介して、動画再生部１３または表示部１４に出力する。一方、個人カスタマイズデータを用いるように、入力ペン３ａあるいはマウス３ｂが操作された場合には、ユーザ情報／表示条件管理部１０は、データ記録媒体７から個人表示条件読み出し部８を介して、個人カスタマイズデータを読み出し、その個人カスタマイズデータにしたがった表示命令を表示／再生管理部９に出力し、またその個人カスタマイズデータにしたがった表示条件を、表示／再生管理部９を介して、動画再生部１３または表示部１４に出力する。
【００５７】
ここで、図２においては、入力ペン２ａあるいはマウス３ｂの操作に対応する操作信号としての入力イベント情報は、その内容に対応して、指示操作入力部１１から、表示／再生管理部９およびユーザ情報／表示条件管理部１０のうちのいずれかに出力されるようになされている。即ち、図５に示すように、例えば新聞データの表示時に用いる個人カスタマイズデータを指定するとき（どのユーザか）や、新聞データの表示時に制御データを用いることを指定するとき（Ｄｅｆａｕｌｔか）、あるいは個人カスタマイズデータを新規登録するとき（新規登録か）などの、いわばユーザ個別の情報の選択に関する入力イベント情報（ユーザ情報関係イベント情報）は、指示操作入力部１１からユーザ情報／表示条件管理部１０に出力される。
【００５８】
また、指示操作入力部１１からユーザ情報／表示条件管理部１０へは、同図に示すように、あるジャンルの新聞記事を視聴している最中において、その次のジャンルや前のジャンルの新聞記事を表示させたり、また表示中の新聞データを拡大させたり、あるいは表示を終了させたりするための、いわば表示処理そのものに関する入力イベント情報（表示処理関係イベント情報）が出力される。
【００５９】
次に、図６のフローチャートを参照して、ユーザ情報／表示条件管理部１０の動作について詳述する。なお、データ記録媒体７には、新聞データとともに、制御データが、既に記録されているものとする。
【００６０】
例えば装置の電源がＯＮ状態にされると、ユーザ情報／表示条件管理部１０では、まずステップＳ１において、初期設定が行われる。即ち、ユーザ情報／表示条件管理部１０は、表示／再生管理部９を制御し、表示部１４にメニュー画面を表示させる。このメニュー画面は、新聞データを表示するときに、制御データを用いるか、あるいは個人カスタマイズデータを用いるかを選択するための画面とされている。
【００６１】
ユーザは、このメニュー画面を見ながら、入力ペン３ａまたはマウス３ｂを操作して、新聞データの表示を行うモードを、制御データおよび個人カスタマイズデータのうちのいずれを用いるモードとするかを決定する（以下、適宜、制御データまたは個人カスタマイズデータを用いて、新聞データの表示を行うモードを、それぞれ制御モードまたはユーザモードという）。
【００６２】
ここでは、制御モードが選択されたものとする。
【００６３】
初期設定処理後、ステップＳ２２に進み、制御データが、個人表示条件読み出し部８を介してデータ記録媒体７から読み出される。
【００６４】
そして、ユーザ情報／表示条件管理部１０では、ステップＳ２３に進み、データ記録媒体７から読み出した制御データにしたがって、第１表示ジャンル（データ部の１番目（最初）に配置されているジャンル番号に対応するジャンル）の新聞データを表示するように指令する表示命令が、表示／再生管理部９に転送される。さらに、そのジャンル番号と組になっている表示条件も、表示／再生管理部９に転送される。
【００６５】
ここで、以下、表示条件も表示命令に含まれるものとする
【００６６】
表示／再生管理部９では、表示命令を受信すると、その表示命令に対応するジャンルの新聞データが、上述したようにして、データ記録媒体７から読み出され、表示命令に含まれる表示条件とともに、表示部１４に、あるいは動画再生部１３を介して表示部１４に供給される。これにより、表示部１４では、制御データのデータ部に配置された第１表示ジャンルの新聞データが、その第１表示ジャンルに対応するジャンル番号と組になっている表示条件にしたがって表示される。
【００６７】
その後、ステップＳ２４に進み、制御データにおける次ジャンル（制御データにおいて、いま表示されている新聞データのジャンルに対応するジャンル番号の次に配置されているジャンル番号に対応するジャンル）の新聞データを表示する表示命令の要求（この要求は、後述する図７のステップＳ６７で行われる）が、表示／再生管理部９からあったか否かが判定される。ステップＳ２４において、次ジャンルの新聞データを表示する表示命令の要求が、表示／再生管理部９からあったと判定された場合、ステップＳ２５に進み、制御データに次ジャンルに対応するジャンル番号が登録されているか否かが判定される。
【００６８】
ステップＳ２５において、制御データに次ジャンルに対応するジャンル番号が登録されていないと判定された場合、ステップＳ２７に進み、表示／再生管理部９に対し、制御データに次ジャンルに対応するジャンル番号が登録されていない旨のメッセージが転送され（制御データに次ジャンルに対応するジャンル番号が登録されていない旨の報告がなされ）、ステップＳ２４に戻る。
【００６９】
また、ステップＳ２５において、制御データに次ジャンルに対応するジャンル番号が登録されていると判定された場合、ステップＳ２６に進み、制御データに登録されている、次ジャンルに対応するジャンル番号およびそれと組になっている表示条件が、表示命令として、表示／再生管理部９に転送される。
【００７０】
これにより、上述したように、表示部１４では、次ジャンルの新聞データが、その次ジャンルに対応する表示条件で表示される。
【００７１】
一方、ステップＳ２４において、次ジャンルの新聞データを表示する表示命令の要求が、表示／再生管理部９からなかったと判定された場合、ステップＳ２８に進み、制御データにおける前ジャンル（制御データにおいて、いま表示されている新聞データのジャンルに対応するジャンル番号の前に配置されているジャンル番号に対応するジャンル）の新聞データを表示する表示命令の要求（この要求も、後述する図７のステップＳ６７で行われる）が、表示／再生管理部９からあったか否かが判定される。ステップＳ２８において、前ジャンルの新聞データを表示する表示命令の要求が、表示／再生管理部９からあったと判定された場合、ステップＳ２９に進み、制御データに前ジャンルに対応するジャンル番号が登録されているか否かが判定される。
【００７２】
ステップＳ２９において、制御データに前ジャンルに対応するジャンル番号が登録されていないと判定された場合、ステップＳ３１に進み、表示／再生管理部９に対し、制御データに前ジャンルに対応するジャンル番号が登録されていない旨のメッセージが転送され（制御データに前ジャンルに対応するジャンル番号が登録されていない旨の報告がなされ）、ステップＳ２４に戻る。
【００７３】
また、ステップＳ２９において、制御データに前ジャンルに対応するジャンル番号が登録されていると判定された場合、ステップＳ３０に進み、制御データに登録されている、前ジャンルに対応するジャンル番号およびそれと組になっている表示条件が、表示命令として、表示／再生管理部９に転送される。
【００７４】
これにより、上述したように、表示部１４では、前ジャンルの新聞データが、その前ジャンルに対応する表示条件で表示される。
【００７５】
一方、ステップＳ２８において、前ジャンルの新聞データを表示する表示命令の要求が、表示／再生管理部９からなかったと判定された場合、ステップＳ３２に進み、処理を終了するように指示する終了要求（この要求は、後述する図７のステップＳ７２の処理後に行われる）が、表示／再生管理部９からあったか否かが判定される。ステップＳ３２において、終了要求が、表示／再生管理部９からなかったと判定された場合、ステップＳ２４に戻る。また、ステップ３２において、終了要求が、表示／再生管理部９からあったと判定された場合、処理を終了する。
【００７６】
次に、図７は、表示／再生管理部９の詳細動作を説明するフローチャートである。例えば、装置の電源がＯＮ状態にされると、表示／再生管理部９では、まず最初にステップＳ６１において、図６のステップＳ２１で説明した初期設定処理に対応する初期設定処理が行われる。そして、ステップＳ６２に進み、ユーザ情報／表示条件管理部１０から表示命令（これは、図６のステップＳ２３，Ｓ２６，Ｓ３０で転送される）が転送されてきたか否かが判定される。ステップＳ６２において、ユーザ情報／表示条件管理部１０から表示命令が転送されてきたと判定された場合、ステップＳ６３に進み、ユーザ情報／表示条件管理部１０からの表示命令に対応するジャンルの新聞データが、データ読み出し部５およびデータ復元部４を介してデータ記録媒体７から読み出され（ロードされ）、ステップＳ６４に進む。
【００７７】
ステップＳ６４では、データ記録媒体７から読み出されたジャンルの新聞データ（表示イメージデータ）が、ユーザ情報／表示条件管理部１０からの表示命令に含まれる表示条件とともに、表示部１４に、あるいは動画再生部１３を介して表示部１４に転送され、ステップＳ６５に進む。これにより、表示部１４では、所定のジャンルの新聞データが、所定の表示条件にしたがって表示される。
【００７８】
一方、ステップＳ６２において、ユーザ情報／表示条件管理部１０から表示命令が転送されてきていないと判定された場合、ステップＳ６３およびＳ６４をスキップして、ステップＳ６５に進み、入力イベントがあったか否かが判定される。ステップＳ６５において、入力イベントがなかったと判定された場合、ステップＳ６５に戻る。
【００７９】
また、ステップＳ６５において、入力イベントがあったと判定された場合、ステップＳ６６に進み、その入力イベントが、ユーザからの次ジャンルの新聞データの表示の要求に対応するものであるか否かが判定される。ステップＳ６６において、入力イベントが、ユーザからの次ジャンルの新聞データの表示の要求に対応するものであると判定された場合、ステップＳ６７に進み、ユーザ情報／表示条件管理部１０に対し、次ジャンルの新聞データを表示するように指示する表示命令を転送するように要求がなされる。そして、ステップＳ６８に進み、ユーザ情報／表示条件管理部１０から、表示命令が転送されてきたか否かが判定される。
【００８０】
ステップＳ６８において、ユーザ情報／表示条件管理部１０から、表示命令が転送されてきていないと判定された場合、即ち図６のステップＳ２７で説明した次ジャンルに対応するジャンル番号が登録されていない旨のメッセージが転送されてきた場合、ステップＳ６５に戻る。また、ステップＳ６８において、ユーザ情報／表示条件管理部１０から、表示命令が転送されてきたと判定された場合、ステップＳ６９に進み、その表示命令に対応するジャンル、即ち次ジャンルの新聞データが、データ読み出し部５およびデータ復元部４を介してデータ記録媒体７から読み出され（ロードされ）、ステップＳ７０に進む。
【００８１】
ステップＳ７０では、データ記録媒体７から読み出された次ジャンルの新聞データ（表示イメージデータ）が、ユーザ情報／表示条件管理部１０からの表示命令に含まれる表示条件とともに、表示部１４に、あるいは動画再生部１３を介して表示部１４に転送され、ステップＳ６５に戻る。これにより、表示部１４では、次ジャンルの新聞データが、所定の表示条件にしたがって表示される。
【００８２】
一方、ステップＳ６６において、入力イベントが、ユーザからの次ジャンルの新聞データの表示の要求に対応するものでないと判定された場合、ステップＳ７１に進み、その入力イベントが、ユーザからの前ジャンルの新聞データの表示の要求に対応するものであるか否かが判定される。ステップＳ７１において、入力イベントが、ユーザからの前ジャンルの新聞データの表示の要求に対応するものであると判定された場合、ステップＳ６７に進み、ユーザ情報／表示条件管理部１０に対し、前ジャンルの新聞データを表示するように指示する表示命令を転送するように要求がなされ、以下ステップＳ６８乃至Ｓ７０で上述した場合と同様の処理が行われる。
【００８３】
また、ステップＳ７１において、入力イベントが、ユーザからの前ジャンルの新聞データの表示の要求に対応するものでないと判定された場合、ステップＳ７２に進み、その入力イベントが、処理を終了するように指示する終了要求に対応するものであるか否かが判定される。ステップＳ７２において、入力イベントが、終了要求に対応するものでないと判定された場合、ステップＳ６５に戻る。また、ステップＳ７２において、入力イベントが、終了要求に対応するものであると判定された場合、ユーザ情報／表示条件管理部１０に対し、終了要求がなされ、処理を終了する。
【００８４】
なお、図６のステップＳ２１において、制御モードではなく、ユーザモードが選択された場合には、上述した図６および図７の説明のうち、「制御データ」を、「個人カスタマイズデータ」に読み替えた処理が行われる。
【００８５】
従って、ユーザは、個人カスタマイズデータを登録しておくことにより、容易に、自身の嗜好にあった順序および条件で、電子的に配信された新聞データを視聴することができる。また、ユーザは、個人カスタマイズデータを登録しておかなくても、デフォルトデータにおける表示順序および表示条件にしたがって新聞データを視聴することができる。
【００８６】
なお、以上においては、表示条件として、画面サイズ、フォントサイズ、フォント種類、およびバックグランドの明度を設定することができるようにしたが、その他の条件としての、例えばバックグランドの色合いやフォントの色なども設定することが可能である。表示条件をどのようなものとするかは、システム（装置）の構成時に、必要なものを選択するようにすれば良い。
【００８７】
また、上述の場合では、ジャンル単位の新聞データの表示順序および表示条件を設定するようにしたが、この他、例えばページ単位や見出し単位などで新聞データの表示順序および表示条件を設定するようにすることが可能である。
【００８８】
さらに、上述の場合においては、表示順序と表示条件の両方を個人カスタマイズデータとして登録するようにしたが、そのうちのいずれかだけを登録するようにすることも可能である。
【００８９】
また、上述の場合においては、表示可能なデータを表示するときの表示順序と表示条件を個人カスタマイズデータとして登録するようにしたが、この個人カスタマイズデータには、音声として出力可能なデータの出力順序（再生順序）や出力条件（再生条件）を含ませることが可能である。音声として出力可能なデータの出力条件としては、例えば音量や音声の高低などを設定することが可能である。この場合、表示／再生管理部９からは、音声データとともに、出力条件（再生条件）が音声再生部１２に供給され、これにより音声出力装置２０３（図１）では、音声データに対応する音声が、出力条件（再生条件）にしたがって出力される。
【００９０】
さらに、同様に、制御データにも、音声として出力可能なデータの出力順序や出力条件を含ませることが可能である。
【００９１】
以下、表示可能なデータを表示するときの表示順序および音声として出力可能なデータを出力するときの出力順序の両方を含めて、出力順序と、表示可能なデータを表示するときの表示条件および音声として出力可能なデータを出力するときの出力条件の両方を含めて、出力条件とそれぞれいう。
【００９２】
次に、図１に示したデータ放送システムにおいては、通常モード、準強制モード、および強制モードの３つの伝送モードで、サービス運用会社３から受信者側（ユーザ端末１０５）へのデータの伝送が行われるようになされている。
【００９３】
通常モードでは、ユーザが、情報提供者１０１（あるいはサービス運用会社３）と受信契約（定期講読契約）を結んだマルチメディア新聞データが、定期的に伝送されるようになされている。従って、この通常モードで伝送されるデータは、ユーザ端末１０５（データ受信装置２０１）を有する、情報提供者１０１と受信契約を結んだユーザのみが受信することができる（ユーザが、情報提供者１０１のうちの、例えば新聞社ＡまたはＢと受信契約を結んでいれば、それぞれの新聞データを受信することができ、また例えば、両方と受信契約を結んでいれば、両方の新聞データを受信することができる）。
【００９４】
準強制モードでは、通常モードにおける場合と同様に、ユーザが受信契約を結んだデータに加え、サービス運用会社１０２が何らかの理由によってユーザに視聴させたいデータが伝送されるようになされている。また、データを、所定の表示条件で、ユーザに視聴させたい場合（例えば、必ずカラーで、データを見せたい場合など）に、伝送モードは、準強制モードとされるようになされている。
【００９５】
即ち、準強制モードでは、それほど緊急ではないが、ユーザに視聴させたいデータが伝送されたり、また表示条件を、送信側（情報提供者１０１またはサービス運用会社）で強制的に設定することができるようになされている。この場合、ユーザの意志（都合）に関わらず、データを、いわば半強制的にユーザに視聴させたり、データを、所定の表示条件で視聴させることができる。この準強制モードは、例えばある程度緊急なニュースや広告を放送（伝送）する場合に有効である。
【００９６】
さらに、準強制モードにおいては、ユーザが、情報提供者１０１のすべてと受信契約を結んでいなくても、そのうちのいずれか（図１に示した新聞社Ａ，Ｂ、およびテレビ局のうちの、例えば新聞社Ａなど）と受信契約を結んでいれば、そのユーザ（ユーザ端末１０５（データ受信装置２０１）を有するユーザ）に、データを視聴させることができるようになされている。
【００９７】
ここで、上述したように、ユーザ端末１０５では、個人カスタマイズデータを登録しておくことにより、ユーザの嗜好にあった出力条件で、データを出力することができる。また、ユーザは、個人カスタマイズデータに登録したジャンル番号のデータのみを視聴することができる。従って、ユーザは、例えば白黒、かつ音声出力なしという出力条件で、データを視聴する場合などがある。さらに、ユーザは、受信したデータのすべてを、必ず視聴するとは限らない。即ち、ユーザによっては、受信したデータのうち、例えばスポーツ面のデータしか視聴しない者もいれば、例えば総合面と経済面しか視聴しない者もいる。
【００９８】
準強制モードによれば、上述したような白黒、かつ音声出力なしという出力条件を個人カスタマイズデータとして登録しているユーザに、半強制的に、カラー、かつ音声出力有りという出力条件で、データを視聴させることができる。さらに、個人カスタマイズデータに、スポーツ面のジャンル番号しか登録していないユーザに、半強制的に、その他のデータを視聴させることができる。
【００９９】
強制モードでは、ユーザに強制的に視聴させるべき緊急情報（例えば、地震や台風、津波などの災害に関する情報、交通ストライキに関する情報、誘拐事件などに関する情報など）が、非定期的（突発的）に伝送される。この強制モードで伝送された緊急情報は、ユーザの意志（都合）やユーザ端末１０５の状態に関係なく、ユーザ端末１０５において、強制的に出力される。
【０１００】
即ち、例えばユーザが、あるデータを視聴していた場合、そのデータに代えて、緊急情報が出力される。さらに、この場合、緊急情報は、それとともに伝送された制御データに登録された出力条件で出力される。また、ユーザ端末１０５の電源がＯＦＦ状態であった場合、電源が強制的にＯＮにされ、これにより上述したように緊急情報が出力される。
【０１０１】
この緊急モードで伝送されるデータ（緊急情報）は、ユーザ端末１０５（データ受信装置２０１）を有するユーザであれば、情報提供者１０１との受信契約の有無に関係なく受信することができる。
【０１０２】
次に、図８乃至図１１および上述した図３を参照して、通常モード、準強制モード、強制モードについて、さらに説明する。まず、図８および図３を参照して、通常モードについて詳述する。なお、ユーザは、情報提供者１０１（図１）のうちの、例えば新聞社Ａと受信契約を結んでおり、またサービス運用会社３は、テレビ局とデータ（動画像データ）提供の契約を結んでいるものとする。
【０１０３】
図８は、通常モードでデータの伝送が行われる場合の、データ放送システム（図１）におけるデータの流れを示している。同図に示すように、新聞社Ａは、情報提供者端末５２を有しており、そこには、上述した紙面データベースが蓄えられている。また、情報提供者端末５２には、紙面データベースのデータ（新聞データ）の出力を制御するための制御データも蓄えられている。情報提供者端末５２からは、紙面データベースのデータ（新聞イメージデータ）と、制御データ（表示制御用データ）が、必要に応じて、サービス運用会社３に伝送される。
【０１０４】
また、テレビ局は、情報提供者端末５１を有しており、そこには上述した動画像データ（音声データおよび映像データ）とともに、その動画像データの出力を制御するための制御データが蓄えられている。情報提供者端末５２からも、情報提供者端末５２における場合と同様に、動画像データおよび制御データが、必要に応じて、サービス運用会社３に伝送される。
【０１０５】
サービス運用会社３は、配信装置５３を有しており、そこでは、新聞社Ａが有する情報提供者端末５２からの新聞データと、テレビ局からの動画像データが編集されるとともに、適宜組み合わされてマルチメディアデータとされる。
【０１０６】
即ち、配信装置５３は、情報提供者端末５２からの新聞データに、動画像データの付加が必要なものがあると、その新聞データ（記事）に関する動画像データを、テレビ局の情報提供者端末５１に要求する。情報提供者端末５１は、配信装置５３から動画像データの要求を受信すると、その要求のあった動画像データを、配信装置５３に伝送する。
【０１０７】
配信装置５３では、情報提供者端末５１または５２からそれぞれ供給された動画像データまたは新聞データが、ユーザ端末１０５で扱い易い形に編集（加工）され、最終的には、新聞データ（新聞イメージデータ）を核とするマルチメディアデータ（マルチメディア新聞データ）とされる。
【０１０８】
なお、サービス運用会社３が、動画像データのデータベースを有し、その管理を行っているならば、サービス運用会社３では、テレビ局からの動画像データではなく、自身が有するデータベースの動画像データを用いるようにすることが可能である。
【０１０９】
サービス運用会社１０２の配信装置５３では、以上のようなデータの編集（加工）の他、情報提供者端末５１または５２それぞれから伝送されてきた制御データの加工も行われる。この加工により、情報提供者端末５１または５２それぞれから伝送されてきた制御データは、例えば図３で説明したようなフォーマットの１つの制御データにされる。なお、図３（後述する図１１も同様）には、音声の出力条件としての、例えば音量や音声の高低などが示されていないが、これらは、図が煩雑になるのを避けるために省略してある。
【０１１０】
ここで、図３に示したように、制御データは、この制御データとともに伝送されるデータが強制的に出力されるべき種別の緊急情報であるか否かを示す種別フラグ（データ種別）を含んでいる。通常モードにおいては、緊急情報ではなく、上述したように、情報提供者１０１（あるいはサービス運用会社３）と受信契約を結んだマルチメディア新聞データが、定期的に伝送されるので、即ち、いわば通常のデータが伝送されるので、データ種別は、「通常」とされる。
【０１１１】
さらに、制御データは、この制御データとともに伝送されるデータを強制的に出力するか否かを指定するための強制フラグを含んでいる。強制フラグは、図３に示したように、例えば２ビットで構成されており、そのうちの最初のビット（第１ビット）は、強制フラグと組になっているジャンル番号に対応するジャンルのデータを強制的に出力させるときは、０および１のうちの、例えば１にされ、強制的に出力させない、即ちユーザによる装置（入力ペン３ａやマウス３ｂ）の操作にしたがって出力させるときは、０および１のうちの、例えば０にされる。
【０１１２】
強制フラグを構成する第２ビットは、強制フラグと組になっているジャンル番号に対応するジャンルのデータを出力する際の出力条件として、その強制フラグと組になっている出力条件を、強制的に使用させるときは、０および１のうちの、例えば１にされ、強制的に使用させない、即ちユーザによる装置（入力ペン３ａやマウス３ｂ）の操作にしたがって、制御データに登録（記述）された出力条件、あるいは個人カスタマイズデータに登録（記述）された出力条件を使用させるときは、０および１のうちの、例えば０にされる。
【０１１３】
通常モードにおいては、強制フラグは「００」（第１および第２ビットとも０）とされる。従って、通常モードで伝送されたデータは、ユーザによる装置の操作にしたがって出力され、その出力に際しては、ユーザによる装置の操作にしたがって、制御データに登録された出力条件、あるいは個人カスタマイズデータに登録された出力条件が使用される。
【０１１４】
なお、強制フラグが「１０」の場合、その強制フラグと組になっているジャンル番号に対応するジャンルのデータは、ユーザによる装置の操作に関係なく、強制的に出力される。但し、その出力に際しては、ユーザによる装置の操作にしたがって、制御データに登録された出力条件、あるいは個人カスタマイズデータに登録された出力条件が使用される。
【０１１５】
また、強制フラグが「０１」の場合、その強制フラグと組になっているジャンル番号に対応するジャンルのデータは、ユーザによる装置の操作にしたがって出力される。但し、その出力に際しては、強制フラグと組になっている出力条件が、ユーザによる装置の操作に関係なく、強制的に使用される。
【０１１６】
さらに、強制フラグが「１１」の場合、その強制フラグと組になっているジャンル番号に対応するジャンルのデータは、ユーザによる装置の操作に関係なく、強制的に出力され、さらにその出力に際しては、強制フラグと組になっている出力条件が、ユーザによる装置の操作に関係なく、強制的に使用される。
【０１１７】
以上から、通常モードは、ユーザの意志に基づいて、データの出力が可能なモードということができる。
【０１１８】
通常モードでは、以上のように加工された制御データ（図３）とともに、データ（マルチメディア新聞データ）が、配信装置５３からユーザ端末１０５に伝送（配信）される。
【０１１９】
次に、図９は、準強制モードでデータの伝送が行われる場合の、データ放送システム（図１）におけるデータの流れを示している。なお、図中、図８における場合と対応する部分については、同一の符号を付してある。さらに、この場合も、通常モードにおける場合と同様に、ユーザは、情報提供者１０１（図１）のうちの、例えば新聞社Ａと受信契約を結んでおり、またサービス運用会社３は、テレビ局とデータ（動画像データ）提供の契約を結んでいるものとする。
【０１２０】
この場合、新聞社Ａまたはテレビ局が、例えば緊急情報ではないが、ある程度緊急を要するデータ（以下、準強制データという）を有するとき、情報提供者端末５１または５２から、その準強制データが、上述した通常モードで定期的に配信されるマルチメディア新聞データ（以下、適宜、通常データという）とともに、サービス運用会社１０２の配信装置５３に伝送される。
【０１２１】
また、この場合、情報提供者端末５１または５２から配信装置５３へは、準強制データおよび通常データとともに、制御データも伝送されるが、制御データにおける、準強制データの出力条件の後に配置される強制フラグは、「００」以外の値、即ち「０１」、「１０」、および「１１」のうちのいずれかとされている。
【０１２２】
配信装置５３では、図８で説明したように、そこに伝送されてきたデータ（準強制データおよび通常データ、並びに制御データ）が編集（加工）される。なお、配信装置５３においては、例えば準強制データを、通常データの中に挿入する位置の指定などが、情報提供者端末５１または５２からあった場合、その指定通りになるように、データの編集（加工）が行われる。
【０１２３】
以上のように編集（加工）のなされた準強制データおよび通常データ、並びに制御データが、配信装置５３からユーザ端末１０５に伝送される。
【０１２４】
なお、制御データは、図３で説明した通常モードにおける場合と同様のフォーマットであるが、ヘッダ部のデータ種別は、「準強制」とされる。
【０１２５】
また、準強制モードでは、その他の情報提供者としての、例えば国などの情報機関が、ユーザに対して知らせたい準強制データを有するときなども、その準強制データを、ユーザ端末１０５に伝送することができる。即ち、この場合、その情報機関に設けられた情報提供者端末５４から、準強制データが、それを出力するときの出力条件（準強制データが、例えば表示可能なデータだけでなる場合は、表示条件のみ）とともに、配信装置５３に伝送される。配信装置５３では、情報提供者端末５４からの準強制データが、通常データの中に、適宜挿入されるとともに、同じく情報提供者端末５４からの出力条件に、必要なデータ（ジャンル番号、強制フラグ（「０１」、「１０」、および「１１」のうちのいずれか））が付加され、制御データの中に組み込まれて、ユーザ端末１０５に伝送される。
【０１２６】
以上のように、準強制データに対応する強制フラグは、「０１」、「１０」、および「１１」のうちのいずれかにされているので、準強制データは、ユーザによる装置の操作に関係なく、強制的に出力され、またはその出力に際して、強制フラグと組になっている出力条件が、ユーザによる装置の操作に関係なく、強制的に使用される。従って、準強制モードは、伝送するデータのうちの一部（準強制データ）の出力を、送信側から、いわば選択的に制御することが可能なモードということができる。
【０１２７】
図１０は、強制モードでデータの伝送が行われる場合の、データ放送システム（図１）におけるデータの流れを示している。なお、図中、図８または図９における場合と対応する部分については、同一の符号を付してある。
【０１２８】
この場合、新聞社Ａまたはテレビ局が、強制的に出力されるべき種別の緊急情報（以下、適宜、強制データという）を有するとき、情報提供者端末５１または５２から、その強制データが、サービス運用会社１０２の配信装置５３に伝送される。
【０１２９】
また、この場合、情報提供者端末５１または５２から配信装置５３へは、強制データとともに、制御データも伝送されるが、この制御データにおける、強制データの出力条件の後に配置される強制フラグは、「１１」とされている。
【０１３０】
配信装置５３では、図８で説明したように、そこに伝送されてきたデータ（強制データおよび制御データ）が、受信側（ユーザ端末１０５）において扱い易い形に編集（加工）される。
【０１３１】
以上のように編集（加工）のなされた強制データおよび制御データが、配信装置５３からユーザ端末１０５に伝送される。
【０１３２】
ここで、配信装置５３では、強制データに対応する制御データは、例えば図１１に示すようなフォーマットとされる。即ち、ヘッダ部のデータ種別は、「強制」とされる。さらに、強制データは、朝刊および夕刊のうちのいずれに関するデータでもないので、新聞が朝刊かあるいは夕刊かを示す情報（朝／夕）は、いずれでもないことを示す、例えば０とされる。また、強制フラグは、上述したように「１１」とされている。
【０１３３】
強制モードでは、その他の情報提供者としての、例えば国などの情報機関が、強制データを有するときも、その強制データを、ユーザ端末１０５に伝送することができる。即ち、この場合、その情報機関に設けられた情報提供者端末５４から、強制データが、それを出力するときの出力条件（強制データが、表示可能なデータだけでなる場合は、表示条件のみ）とともに、配信装置５３に伝送される。配信装置５３では、情報提供者端末５４からの出力条件に、必要なデータ（ジャンル番号、強制フラグ（「１１」）が付加され、図１１に示したフォーマットの制御データとされる。そして、情報提供者端末５４からの強制データが、制御データとともに、ユーザ端末１０５に伝送される。
【０１３４】
以上のように、強制データに対応する強制フラグは、「１１」にされるので、強制データは、ユーザによる装置の操作に関係なく、強制的に出力され、さらにその出力に際して、強制フラグと組になっている出力条件が、ユーザによる装置の操作に関係なく、強制的に使用される。従って、強制モードは、伝送するデータ（強制データ）の出力を、送信側から、いわば完全に制御することが可能なモードということができる。
【０１３５】
なお、図１１に示した制御データは、強制データが、１つのジャンル（強制データの１ジャンルとは、例えばある地震に関する情報や、ある事件に関する情報などの、１つのニュースに対応する）でなる場合のものであるが、複数のジャンルの強制データを送信する場合においては、そのジャンル数が、ヘッダ部の受信ジャンル数に配置（記述）され、さらにそのジャンル数に応じた数だけの、ジャンル番号、出力条件（表示条件）、および強制フラグの組が、データ部に配置される。強制データが、複数のジャンルに渡っている場合、その複数のジャンルの強制データは、ユーザ端末１０５において順次出力（強制的に出力）される。
【０１３６】
次に、以上のような通常モード、準強制モード、または強制モードで伝送されたきたデータが出力される場合の、ユーザ端末１０５（図２）の動作について、図１２のフローチャートを参照して詳述する。まず、ステップＳ１において、ユーザ端末１０５を構成する各ブロックの初期設定が行われ、ステップＳ２に進み、サービス運用会社３からのデータが受信されたかどうかが、データ受信部３によって判定される。ステップＳ２において、データが受信されていないと判定された場合、ステップＳ２に戻る。また、ステップＳ２において、データが受信されたと判定された場合、ステップ３に進み、受信したデータ（通常データ、準強制データ、または強制データと、制御データ）が、データ種別判別部２を介して、データ記録媒体７に出力されて記録（保存）される。
【０１３７】
そして、ステップＳ４に進み、データ受信部３で受信されたデータが、強制データであるか否かが、データ種別判別部２によって判定される。なお、この判定は、制御データ（図３、図１１）のヘッダ部のデータ種別を参照することにより行われる（データ種別が「強制」であれば、データ受信部３で受信されたデータは強制データであると判定され、またデータ種別が「強制」でなければ、データ受信部３で受信されたデータは強制データでないと判定される）。
【０１３８】
ステップＳ４において、データ受信部３で受信されたデータが、強制データでないと判定された場合、即ちデータ受信部３で受信されたデータが、通常データまたは準強制データ（準強制データを含む通常データ）である場合、ステップＳ５に進み、ユーザからの表示指示があったか否か、即ち入力ペン３ａまたはマウス３ｂが、データの出力（表示）を行うように操作されたか否かが、ユーザ情報／表示条件管理部１０または表示／再生管理部９によって判定される。
【０１３９】
ステップＳ５において、入力ペン３ａまたはマウス３ｂが、データの出力を行うように操作されていないと判定された場合、ステップＳ５に戻る。また、ステップＳ５において、入力ペン３ａまたはマウス３ｂが、データの出力を行うように操作されたと判定された場合、ステップＳ６に進み、上述したようにして（例えば、図６および図７で説明したようにして）、データの出力が行われる（表示可能なデータは、表示部１４で表示され、音声出力可能なデータは、音声出力装置２０３（図１）から出力される）。
【０１４０】
ここで、ステップＳ６において、通常データの出力は、ユーザによる入力ペン３ａまたはマウス３ｂの操作にしたがって行われるが、準強制データの出力は、次のように行われる。
【０１４１】
即ち、準強制データに対応する強制フラグが「１０」の場合、その強制フラグと組になっているジャンル番号に対応するジャンルのデータは、例えばユーザが、そのデータをスキップして、その他のデータを出力するように、入力ペン３ａまたはマウス３ｂを操作しても、強制的に出力される。但し、その出力に際しては、ユーザによる入力ペン３ａまたはマウス３ｂの操作にしたがって、データ記録媒体７に記録された制御データに登録された出力条件、あるいは個人カスタマイズデータに登録された出力条件が使用される。
【０１４２】
また、強制フラグが「０１」の場合、その強制フラグと組になっているジャンル番号に対応するジャンルのデータは、ユーザによる入力ペン３ａまたはマウス３ｂの操作にしたがって出力されるが、その出力に際しては、例えばユーザが、データ記録媒体７に記録させてある個人カスタマイズデータに登録された出力条件を使用するように、入力ペン３ａまたはマウス３ｂを操作しても、強制フラグと組になっている出力条件が、強制的に使用される。
【０１４３】
さらに、強制フラグが「１１」の場合、その強制フラグと組になっているジャンル番号に対応するジャンルのデータは、上述したようなユーザによる装置の操作に関係なく、強制的に出力され、さらにその出力に際しては、強制フラグと組になっている出力条件が、ユーザによる装置の操作に関係なく、強制的に使用される。
【０１４４】
従って、強制フラグによって、データを強制的に出力するように指定されているとき、即ち強制フラグの第１ビットが１である場合、データが、強制的に出力されるべき種別の緊急情報でなくても、音声出力装置２０３または表示部１４から、強制的に出力されるので、そのデータ（準強制データ）を、ユーザに、いわば半強制的に視聴させることができる。
【０１４５】
また、強制フラグの第２ビットが１である場合、強制的に、制御データに配置された出力条件が用いられて、データが音声出力装置２０３または表示部１４から出力されるので、ユーザに対し、データ（準強制データ）を、送信側（情報提供者１０１またはサービス運用会社１０２）が指定する出力条件で視聴させることができる。
【０１４６】
なお、以上のような強制フラグにしたがった処理は、ユーザ情報／表示条件管理部１０の制御の下で行われる。
【０１４７】
以上のようにして、通常データまたは準強制データの出力がなされた後、ステップＳ７に進み、ユーザによって、入力ペン３ａまたはマウス３ｂが、処理を終了するように操作されたか否かが判定される。ステップＳ７において、入力ペン３ａまたはマウス３ｂが、処理を終了するように操作されていないと判定された場合、ステップＳ２に戻る。また、ステップＳ７において、入力ペン３ａまたはマウス３ｂが、処理を終了するように操作されたと判定された場合、処理を終了する。
【０１４８】
一方、ステップＳ４において、データ受信部３で受信されたデータが、強制データであると判定された場合、ステップＳ８に進み、表示装置２０２の電源がＯＮ状態であるか否かが、例えばデータ種別判別部２によって判定される。
【０１４９】
ここで、データ受信装置２０１の電源は、常にＯＮ状態であるとする。即ち、データ受信装置２０１は、常にデータが受信可能な状態にあるようになされているものとする
【０１５０】
ステップＳ８において、表示装置２０２の電源がＯＮ状態でないと判定された場合、即ち表示装置２０２の電源がＯＦＦ状態である場合、ステップＳ９に進み、表示装置２０２の電源が、例えばデータ種別判別部２によってＯＮ状態にされ、ステップＳ１０に進む。
【０１５１】
また、ステップＳ８において、表示装置２０２の電源がＯＮ状態であると判定された場合、ステップＳ９をスキップして、ステップＳ１０に進み、データ種別判別部２によって、データ受信部３で受信されたデータ、即ち強制データ（強制モードで伝送されてきたデータ）が、それに付随する制御データとともに、データ復元部４に転送され、ステップＳ１１に進む。
【０１５２】
データ復元部４では、上述したように、データ（強制データ）の復元その他の処理が行われ、復元後の強制データが、制御データとともに、表示／再生管理部９に供給される。そして、ステップＳ１１に進み、制御データに含まれる出力条件とともに、強制データが、表示／再生管理部９から、音声再生部１２、動画再生部１３、または表示部１４に転送される。これにより、強制データが、制御データに含まれる出力条件にしたがって、表示部１４で表示され、あるいは音声出力装置２０３（図１）から出力される。
【０１５３】
以上のようにして、強制データの出力がなされた後、処理を終了する。
【０１５４】
上述のように、強制データが受信された場合には、例えばユーザが、その他のデータ（通常データまたは準強制データ）を視聴している途中であっても、そのデータの出力が中断され、上述のように、ユーザの意志に関係なく、強制データが、強制的に出力される。従って、強制データである緊急情報を、ユーザに即座に知らせることができる。さらに、この場合、表示装置２０２の電源がＯＦＦ状態であるときには、その電源がＯＮ状態にされるので、ユーザが表示装置２０２の電源をＯＦＦ状態にしていたとしても、ユーザに、緊急情報を即座に知らせることができる。
【０１５５】
ところで、上述のように、強制データの受信後、それを、即座に出力したとしても、ユーザが、その場にいなかった場合、ユーザは、緊急情報を知ることができない。そこで、図２に示したユーザ端末１０５では、図１２のステップＳ３でデータ記録媒体７に記録したデータ（強制データ）を、後で出力することにより、緊急情報を、ユーザに知らせることができるようになされている。
【０１５６】
即ち、ユーザ端末１０５では、強制データを受信すると、それを、上述したように出力する他、強制データを受信したことを、何らかの形で（例えば、強制データを受信した旨を、表示部１４に表示させたり、あるいは音声出力装置２０３からメッセージを出力させたりすることなどにより）、ユーザに報知するようになされている。強制データを受信したことを知ったユーザは、入力ペン３ａやマウス３ｂを操作し、データ記録媒体７に記録された強制データを出力させることにより緊急情報を知ることができる。
【０１５７】
以上、本発明を、新聞を核とするマルチメディア新聞データの出力を行うユーザ端末１０５に適用した場合について説明したが、本発明は、新聞データ以外の、例えば雑誌や書籍などの刊行物のデータを核とするマルチメディアデータや、その他のデータを伝送する場合にも適用可能である。
【０１５８】
【発明の効果】
以上の如く、本発明のデータ出力装置によれば、出力制御用データとともに伝送されてきたデータが受信されて、記録媒体に記録され、出力手段によって出力される。出力制御用データは、データが強制的に出力されるべき種別の緊急情報であるか否かを示す種別フラグを含み、種別フラグが、受信手段により受信されたデータが強制的に出力されるべき種別の緊急情報であることを示しているとき、そのデータは、出力手段から強制的に出力される。従って、緊急情報を視聴者に即座に知らせることができる。
【０１５９】
また、出力制御データが、データを強制的に出力するか否かを指定するための強制フラグをさらに含み、強制フラグが、記録媒体に記録されたデータを強制的に出力するように指定しているとき、そのデータが強制的に出力されるべき種別の緊急情報でなくても、そのデータを、出力手段から、強制的に出力させる場合によれば、視聴者に視聴させたいデータを指定しておくことにより、そのデータを、視聴者に、いわば半強制的に視聴させることができる。
【図面の簡単な説明】
【図１】電子的に配信されたマルチメディアの新聞データを、ユーザ端末１０５によって受信するデータ放送システムの構成例を示す図である。
【図２】本発明を適用したユーザ端末１０５の一実施例の構成を示すブロック図である。
【図３】通常モード時および準強制モード時における制御データのフォーマットを示す図である。
【図４】個人カスタマイズデータのフォーマットを示す図である。
【図５】図２の表示／再生管理部９またはユーザ情報／表示条件管理部１０それぞれに入力される入力イベント情報を説明する図である。
【図６】図２のユーザ情報／表示条件管理部１０の動作を説明するフローチャートである。
【図７】図２の表示／再生管理部９の動作を説明するフローチャートである。
【図８】通常モードでデータの伝送が行われる場合の、図１のデータ放送システムにおけるデータの流れを説明する図である。
【図９】準強制モードでデータの伝送が行われる場合の、図１のデータ放送システムにおけるデータの流れを説明する図である。
【図１０】強制モードでデータの伝送が行われる場合の、図１のデータ放送システムにおけるデータの流れを説明する図である。
【図１１】強制モード時における制御データのフォーマットを示す図である。
【図１２】図２のユーザ端末１０５の動作を説明するフローチャートである。
【符号の説明】
１  室外装置
２  データ種別判別部
３  データ受信部
３ａ  入力ペン
３ｂ  マウス
４  データ復元部
５  データ読み出し部
６  個人表示条件書き込み部
７  データ記録媒体
７ａ  スロット
８  個人表示条件読み出し部
９  表示／再生管理部
１０  ユーザ情報／表示条件管理部
１１  指示操作入力部
１２  音声再生部
１３  動画再生部
１４  表示部
１０１  情報提供者
１０２  サービス運用会社
１０３  衛星
１０４  公衆回線網
１０５  ユーザ端末
２０１  データ受信装置
２０２  表示装置
２０３  音声出力装置
【図１】
0003690531.tif 000002
【図２】
0003690531.tif 000003
【図３】
0003690531.tif 000004
【図４】
0003690531.tif 000005
【図５】
0003690531.tif 000006
【図６】
0003690531.tif 000007
【図７】
0003690531.tif 000008
【図８】
0003690531.tif 000009
【図９】
0003690531.tif 000010
【図１０】
0003690531.tif 000011
【図１１】
0003690531.tif 000012
【図１２】
0003690531.tif 000013